(57)【要約】【課題】取付孔の内周面とフード部の外周面との間に浸入した水を充電用インレットの外部に排水する。【解決手段】本明細書によって開示される充電用インレット１０は、端子４０が内部に収容される端子収容部（収容筒２１Ａ）を有し、この端子収容部を囲むようにフード部（端子フード部２１Ｂ）が設けられたインレット本体２０と、フード部が嵌合する取付孔３５を有し、この取付孔３５の内周面とフード部の外周面とが全周に亘って沿うようにインレット本体２０に組み付けられるプレート３０とを備え、インレット本体２０は、端子収容部の内部に浸入した水を外部に排出するドレイン管２４と、このドレイン管２４の内部に連通する差込孔２７とを有し、プレート３０は、取付孔３５の内周面に連続しつつ差込孔２７に差し込まれる差込片３８を有する構成とした。【選択図】図２
2016046180.tif 000002
【特許請求の範囲】
【請求項１】
端子が内部に収容される端子収容部を有し、この端子収容部を囲むようにフード部が設けられたインレット本体と、
前記フード部が嵌合する取付孔を有し、この取付孔の内周面と前記フード部の外周面とが全周に亘って沿うように前記インレット本体に組み付けられるプレートとを備え、
前記インレット本体は、前記端子収容部の内部に浸入した水を外部に排出するドレイン管と、このドレイン管の内部に連通する差込孔とを有し、
前記プレートは、前記取付孔の内周面に連続しつつ前記差込孔に差し込まれる差込片を有する充電用インレット。
【請求項２】
前記差込片における前記取付孔に臨んだ面と前記取付孔の内周面とは、面一をなして連続している請求項１に記載の充電用インレット。
【請求項３】
前記インレット本体に設けられ、前記フード部の周囲に配された後側枠体と、
前記プレートに設けられ、前記取付孔の周囲に配された前側枠体とを備え、
前記後側枠体と前記前側枠体の間にパッキンが挟持されており、前記差込片は前記パッキンの内側に配されている請求項１または請求項２に記載の充電用インレット。
【発明の詳細な説明】
【技術分野】
【０００１】
本明細書によって開示される技術は、充電用インレットに関する。
【背景技術】
【０００２】
従来、給電側コネクタを受電側コネクタに結合することでバッテリーへの充電を行う充電コネクタとして、例えば特開２０１２−１８１９８４号公報（下記特許文献１）に記載のものが知られている。この充電コネクタでは、受電側コネクタと照明ユニットが横並びに配設されて、それぞれがボディにボルト締結されている。
【先行技術文献】
【特許文献】
【０００３】
【特許文献１】特開２０１２−１８１９８４号公報
【発明の概要】
【発明が解決しようとする課題】
【０００４】
上記の充電コネクタでは、受電側コネクタと照明ユニットが別々に設けられているため、ボディ側の設置スペースが大きくなってしまう。また、受電側コネクタと照明ユニットをボディに対して別々にボルト締結する必要があるため、ボディへの締結作業が多くなり、締結部品の数も多くなる。そこで、照明ユニットをボディに取り付けるのではなく、予め受電側コネクタに取り付けるようにしておけば、ボディ側の設置スペースが小さくなり、ボディへの締結作業が少なくなる。
【０００５】
しかしながら、照明ユニットに、受電側コネクタを取り付けるための取付孔を設け、この取付孔に受電側コネクタを嵌合させた場合、取付孔の内周面と受電側コネクタの外周面とが対向する部分に隙間が形成され、この隙間に水が浸入するおそれがある。この隙間が非常に狭い場合、一旦水が浸入したら、排水するのは困難であると予想される。
【課題を解決するための手段】
【０００６】
本明細書によって開示される充電用インレットは、端子が内部に収容される端子収容部を有し、この端子収容部を囲むようにフード部が設けられたインレット本体と、前記フード部が嵌合する取付孔を有し、この取付孔の内周面と前記フード部の外周面とが全周に亘って沿うように前記インレット本体に組み付けられるプレートとを備え、前記インレット本体は、前記端子収容部の内部に浸入した水を外部に排出するドレイン管と、このドレイン管の内部に連通する差込孔とを有し、前記プレートは、前記取付孔の内周面に連続しつつ前記差込孔に差し込まれる差込片を有する構成とした。
【０００７】
このような構成によると、取付孔の内周面とフード部の外周面との間に水が浸入した場合であっても、浸入した水を差込片を介してドレイン管の内部に送り、ドレイン管の内部から充電用インレットの外部に排水することができる。
【０００８】
本明細書によって開示される充電用インレットは、以下の構成としてもよい。
前記差込片における前記取付孔に臨んだ面と前記取付孔の内周面とは、面一をなして連続している構成としてもよい。
このような構成によると、取付孔の内周面から差込片へ水を流しやすくなる。
【０００９】
前記インレット本体に設けられ、前記フード部の周囲に配された後側枠体と、前記プレートに設けられ、前記取付孔の周囲に配された前側枠体とを備え、前記後側枠体と前記前側枠体の間にパッキンが挟持されており、前記差込片は前記パッキンの内側に配されている構成としてもよい。
このような構成によると、パッキンによって取付孔への浸水を防ぐことができる。また、取付孔の内周面とフード部の外周面との間に浸入した水は、差込片を介してドレイン管の内部に送られるため、水が腐食する等して、パッキンが劣化し、防水機能が低下することを回避できる。
【発明の効果】
【００１０】
本明細書によって開示される充電用インレットによれば、取付孔の内周面とフード部の外周面との間に浸入した水を充電用インレットの外部に排水することができる。
【図面の簡単な説明】
【００１１】
【図１】充電用インレットの正面図
【図２】図１におけるＡ−Ａ線断面図
【図３】ホールディングプレートの背面図
【図４】インレット本体の正面図
【発明を実施するための形態】
【００１２】
＜実施形態＞
実施形態を図１から図４の図面を参照しながら説明する。本実施形態における充電用インレット１０は、図４に示すインレット本体２０と、図３に示すホールディングプレート（以下「プレート」という）３０とを備えて構成されている。インレット本体２０は、図示しない給電器側に設けられた充電ガンが嵌合可能なコネクタ嵌合部２１を有している。この充電用インレット１０は、車両のボディに固定されている。なお、以下の説明においてはコネクタ嵌合部２１における充電ガンと嵌合する側を前側とする。
【００１３】
コネクタ嵌合部２１は、複数の端子４０がそれぞれ内部に収容される複数の収容筒２１Ａと、これらの収容筒２１Ａを一括して囲むように設けられた円筒形の端子フード部２１Ｂとを備えて構成されている。端子フード部２１Ｂの上面には略門形をなして上方に突出する形態をなすロックフード部２１Ｃが設けられている。なお、以下においては端子フード部２１Ｂとロックフード部２１Ｃをまとめてフード部２１Ｂ、２１Ｃという。
【００１４】
複数の端子４０は、図２に示すように、インナー部材５０に一括して取り付けられ、リテーナ６０によってインナー部材５０に固定されることで一体化されている。このようにして、複数の端子４０がアッセンブリされたインナー部材５０をインレット本体２０に後方から組み付けることで、端子４０の丸ピン部４１が収容筒２１Ａの内部に後方から収容される。また、端子４０の本体部４２とインナー部材５０との間にはＯリング４３が挟持されているため、これらの間からボディ側に水が浸入することはない。さらに、インナー部材５０とインレット本体２０の間にはシールリング５１が挟持されているため、これらの間からボディ側に水が浸入することもない。したがって、充電用インレット１０の前方（意匠面側）からボディ側に水が浸入することはないものとされている。
【００１５】
ロックフード部２１Ｃの内部には金属製のロック受け部２１Ｄが設けられ、充電ガンの図示しないロック爪がロック受け部２１Ｄに係止することで充電ガンがコネクタ嵌合部２１に嵌合し、充電ガンの各端子がコネクタ嵌合部２１の各端子４０に接続された状態に保持される。
【００１６】
また、インレット本体２０は、図４に示すように、フード部２１Ｂ、２１Ｃの周囲に配された後側枠体２２を備えている。この後側枠体２２は、コネクタ嵌合部２１を中心として外周側に張り出す形態をなし、端子フード部２１Ｂから斜め下方に張り出す左右一対のフランジ部２２Ａと、ロックフード部２１Ｃから左右両側に張り出す左右一対のフランジ部２２Ｂとからなる。
【００１７】
端子フード部２１Ｂの下端部には、下方に突出した形態の位置決め凹部２３が設けられている。この位置決め凹部２３には充電ガンの下端部に設けられた図示しない位置決め凸部が嵌合するようになっており、これにより充電ガンを正しい嵌合姿勢に位置決めできるようになっている。
【００１８】
図２に示すように、位置決め凹部２３の後端部には、円筒状のドレイン管２４が設けられている。このドレイン管２４は、コネクタ嵌合部２１の内部と連通しており、充電用インレット１０の前方（意匠面側）から収容筒２１Ａに浸入した水は、収容筒２１Ａの後端下部に設けられた水抜き孔２１Ｅから、各収容筒２１Ａの後方に設けられた共通の排水空間２５に送られ、その排水空間２５の下方に設けられたドレイン管２４の内部に送られる。そして、ドレイン管２４内の水は、その下方に送られて充電用インレット１０の外部に排水される。
【００１９】
図４に示すように、位置決め凹部２３の下端部には、差込孔２７が設けられている。この差込孔２７は、前後方向に貫通し、左右両側がやや上方に立ち上がる断面浅皿形状をなしている。差込孔２７は、図２に示すように、ドレイン管２４の内部と連通している。
【００２０】
プレート３０は、図３に示すように、フード部２１Ｂ、２１Ｃが嵌合する取付孔３５を有する表示部３１と、この表示部３１の外周側に張り出す取付板３２とを備えて構成されている。なお、以下においてはフード部２１Ｂ、２１Ｃのうち取付孔３５の内周面と対向する面をフード部２１Ｂ、２１Ｃの外周面とし、フード部２１Ｂ、２１Ｃの外周面と取付孔３５の内周面との間には、取付公差を考慮したわずかな隙間が設定されており、この隙間には前方（意匠面側）から水が浸入可能とされている。
【００２１】
図１に示すように、表示部３１は略円形とされ、取付孔３５の内周面と表示部３１の外周縁との間に、充電状態等を表示する充電インジケータ３６が設けられている。取付板３２の後面側には、図３に示すように、図示しないＬＥＤユニットをねじ止めするための複数のねじ止め部３７が設けられている。このＬＥＤユニットから前方に光を照射することで充電インジケータ３６が点灯するようになっている。フード部２１Ｂ、２１Ｃを取付孔３５に嵌合させると、図１に示すように、コネクタ嵌合部２１の周囲に表示部３１が配される。
【００２２】
また、表示部３１の後面側には、複数の固定ナット３４が圧入等の固定手段によって固定されている。これらの固定ナット３４は、左右方向において各ねじ止め部３７よりも取付孔３５に近い位置に配されている。
【００２３】
取付板３２は、図３に示すように、全体として略正方形状とされている。取付板３２の四隅には、それぞれ貫通孔３３が板厚方向に貫通して設けられている。この貫通孔３３には、図１に示すように、プレート３０をインレット本体２０に前方から取り付けた際に、インレット本体２０のロングカラー２６が貫通して配されるようになっている。そして、予めボディに設けられたスタッドボルトをロングカラー２６に通してナットを締め込むことで、インレット本体２０とボディがメタルタッチで固定される。
【００２４】
さて、本実施形態の充電用インレット１０では、複数のＯリング４３やシールリング５１等によってボディ側に水が浸入することはないものの、取付孔３５の内周面とフード部２１Ｂ、２１Ｃの外周面とが全周に亘って沿うように配されているため、フード部２１Ｂ、２１Ｃの外周面と取付孔３５の内周面との間に水が浸入するおそれがある。ボディ側に水が浸入することはないとしても、フード部２１Ｂ、２１Ｃの外周面と取付孔３５の内周面との間に水が溜まったまま、充電が行われることは好ましいとはいえない。
【００２５】
そこで、図３に示すように、取付孔３５の内周面における下端部には、取付孔３５の内周面に連続しつつインレット本体２０の差込孔２７に差し込まれる差込片３８が後方に張り出す形態で設けられている。この差込片３８は差込孔２７よりも一回り小さく外形を有し、左右両端がやや上方に立ち上がる凹形状をなし、図２に示すように、取付孔３５の内周壁の一部をドレイン管２４側に延長させることで設けられている。また、差込片３８の上面と取付孔３５の内周面とは、面一をなして連続している。差込孔２７に差込片３８が差し込まれると、差込片３８の先端がドレイン管２４内にわずかに突出した状態となる。これにより、充電用インレット１０の前方から、フード部２１Ｂ、２１Ｃの外周面と取付孔３５の内周面との間に浸入した水は、これらの間を通って下方に流れ、差込片３８の上面を伝って差込孔２７を通過し、ドレイン管２４内に送られる。そして、ドレイン管２４内の水は、充電用インレット１０の下端開口から外部に排出される。
【００２６】
また、プレート３０は、取付孔３５の内周面から外周側に張り出す前側枠体３９を備えている。後側枠体２２と前側枠体３９の間には、環状のパッキン２８が挟持されており、差込片３８はパッキン２８の内周側を通過するように配されている。したがって、後側枠体２２と前側枠体３９の間に浸入した水は、パッキン２８によって止水され、フード部２１Ｂ、２１Ｃの外周面と取付孔３５の内周面との間に浸入することはない。また、上記したように、フード部２１Ｂ、２１Ｃの外周面と取付孔３５の内周面との間に浸入した水は差込片３８を伝ってドレイン管２４内に排水されるため、フード部２１Ｂ、２１Ｃの外周面と取付孔３５の内周面との間に溜まった水によってパッキン２８が劣化することもない。
【００２７】
本実施形態は以上のような構成であって、続いてその作用を説明する。まず、充電用インレット１０の前方（意匠面側）からフード部２１Ｂ、２１Ｃの内側に水がかかった場合には、収容筒２１Ａ内に浸入した水が水抜き孔２１Ｅを通って排水空間２５に送られ、この排水空間２５からドレイン管２４を通って充電用インレット１０の外部に排水される。また、収容筒２１Ａ外に浸入した水は、位置決め凹部２３からドレイン管２４を通って充電用インレット１０の外部に排水される。
【００２８】
一方、フード部２１Ｂ、２１Ｃの外周面と取付孔３５の内周面との間に浸入した水は、これらの間を通って下方に流れていき、差込片３８の上面に送られる。そして、差込片３８の上面に送られた水は、差込孔２７を通ってドレイン管２４の内部に送られ、ドレイン管２４の内部を下方に向かうことで充電用インレット１０の外部に排水される。したがって、フード部２１Ｂ、２１Ｃの外周面と取付孔３５の内周面との間に水が溜まることはなく、パッキン２８が劣化することもない。
【００２９】
以上のように本実施形態では、取付孔３５の内周面とフード部２１Ｂ、２１Ｃの外周面との間に水が浸入した場合であっても、浸入した水を差込片３８を介してドレイン管２４の内部に送り、ドレイン管２４の内部から充電用インレット１０の外部に排水することができる。
【００３０】
差込片３８における取付孔３５に臨んだ面と取付孔３５の内周面とは、面一をなして連続している構成としてもよい。
このような構成によると、取付孔３５の内周面から差込片３８へ水を流しやすくなる。
【００３１】
インレット本体２０に設けられ、フード部２１Ｂ、２１Ｃの周囲に配された後側枠体２２と、プレート３０に設けられ、取付孔３５の周囲に配された前側枠体３９とを備え、後側枠体２２と前側枠体３９の間にパッキン２８が挟持されており、差込片３８はパッキン２８の内側に配されている構成としてもよい。
このような構成によると、パッキン２８によって取付孔３５への浸水を防ぐことができる。また、取付孔３５の内周面とフード部２１Ｂ、２１Ｃの外周面との間に浸入した水は、差込片３８を介してドレイン管２４の内部に送られるため、水が腐食する等して、パッキン２８が劣化し、防水機能が低下することを回避できる。
【００３２】
＜他の実施形態＞
本明細書によって開示される技術は上記記述及び図面によって説明した実施形態に限定されるものではなく、例えば次のような種々の態様も含まれる。
（１）上記実施形態では取付孔３５の内周面の下端部に差込片３８を設けているものの、取付孔３５の内周面に連続する位置であればよく、取付孔３５の内周面の下端部以外の部分に差込片を設けてもよい。
【００３３】
（２）上記実施形態では差込片３８の上面と取付孔３５の内周面とが面一をなして連続しているものの、差込片の上面が段差を介して取付孔３５の内周面よりも下方に位置するものとしてもよい。
【００３４】
（３）上記実施形態では環状のパッキン２８を例示しているものの、パッキンによる排水経路が差込片に接続され、シール性能を維持できるものであれば環状のパッキンにしなくてもよい。
【符号の説明】
【００３５】
１０…充電用インレット
２０…インレット本体
２１Ａ…収容筒（端子収容部）
２１Ｂ…端子フード部
２１Ｃ…ロックフード部
２２…後側枠体
２４…ドレイン管
２７…差込孔
２８…パッキン
３０…ホールディングプレート
３５…取付孔
３８…差込片
３９…前側枠体
４０…端子
【図１】
2016046180.tif 000003
【図２】
2016046180.tif 000004
【図３】
2016046180.tif 000005
【図４】
2016046180.tif 000006
【手続補正書】
【提出日】平成26年9月1日(2014.9.1)
【手続補正１】
【補正対象書類名】図面
【補正対象項目名】図１
【補正方法】変更
【補正の内容】
【図１】
2016046180.tif 000007
【手続補正２】
【補正対象書類名】図面
【補正対象項目名】図３
【補正方法】変更
【補正の内容】
【図３】
2016046180.tif 000008